(57)【要約】  【課題】  マグネットの脱落を防止するとともに、製造工数を削減して寸法精度や強度を向上できる冷蔵庫用ガスケット及びそれを用いた冷蔵庫を提供する。  【解決手段】  冷蔵庫１の本体部６の前面を開閉する扉７の周部に配されて本体部６を密閉する冷蔵庫用ガスケット３０において、本体部６に密着する可撓性部材３１と、可撓性部材３１により被覆して保持されるとともに本体部６に吸引されるマグネット３２とを備え、マグネット３２の周面に凸部３２ａを突設するとともに、凸部３２ａが嵌合して保持される凹部３１ｂを可撓性部材３１に凹設した。【選択図】      図３
2006317045.tif 000002
【特許請求の範囲】
【請求項１】
冷蔵庫の本体部の前面を開閉する扉の周部に配されて本体部を密閉する冷蔵庫用ガスケットにおいて、前記本体部に密着する可撓性部材と、前記可撓性部材により被覆して保持されるとともに前記本体部に吸引されるマグネットとを備え、前記マグネットの周面に凸部を突設するとともに、前記凸部が嵌合して保持される凹部を前記可撓性部材に凹設したことを特徴とする冷蔵庫用ガスケット。
【請求項２】
前記凸部を前記マグネットの長手方向に延びて形成したことを特徴とする請求項１に記載の冷蔵庫用ガスケット。
【請求項３】
前記凸部がアリ溝のオス側から成り、前記凹部がアリ溝のメス側から成ることを特徴とする請求項２に記載の冷蔵庫用ガスケット。
【請求項４】
前記凸部を半球状に形成したことを特徴とする請求項１に記載の冷蔵庫用ガスケット。
【請求項５】
前記凸部は前記マグネットの長手方向に垂直な方向に延びた鍔状に形成されることを特徴とする請求項１に記載の冷蔵庫用ガスケット。
【請求項６】
前記マグネットを前記可撓性部材に接着したことを特徴とする請求項１〜請求項５のいずれかに記載の冷蔵庫用ガスケット。
【請求項７】
請求項１〜請求項６のいずれかに記載の冷蔵庫用ガスケットを扉に備えた冷蔵庫において、前記扉と前記本体部との係合及び離脱を行う２つのカム機構を前記扉の両側に対称に設け、前記扉の閉止状態で両側の前記カム機構が対称な第１係止位置をとり、前記扉の一方を開く際に前記扉がスライド移動して他方の前記カム機構が第２係止位置に移行することにより前記扉が回動自在にスライド規制されることを特徴とする冷蔵庫。
【発明の詳細な説明】
【技術分野】
【０００１】
本発明は、前面を開口した冷却室を有する本体部の前面を開閉する扉に配されて本体部を密閉する冷蔵庫用ガスケット及びそれを用いた冷蔵庫に関する。
【背景技術】
【０００２】
従来の冷蔵庫用ガスケットを有した冷蔵庫は特許文献１に開示されている。この冷蔵庫は貯蔵物を冷却保存する冷却室を有した本体部の前面を扉により開閉する。扉の背面の周部には可撓性部材から成る冷蔵庫用ガスケットが設けられる。冷蔵庫用ガスケットが本体部の周部に密着して本体部が密閉される。
【０００３】
図１４はこの冷蔵庫用ガスケットを示す上面断面図である。冷蔵庫用ガスケット３０はＰＶＣ等の樹脂を成形した可撓性部材３１から成り、扉７側に係止突起３０ａが設けられる。係止突起３０ａが扉７の周部に設けた係止溝７ａに嵌合して冷蔵庫用ガスケット３０が扉７に取り付けられる。可撓性部材３１の表面近傍にはマグネット３２を収納する中空の収納部３１ａが形成される。収納部３１ａに挿入されたマグネット３２により本体部を吸引して本体部を確実に密閉することができる。
【０００４】
図１５は冷蔵庫用ガスケット３０の正面図を示している。冷蔵庫用ガスケット３０は扉７の外周の各辺に沿って複数設けられ、接合部３０ｂで溶着接合されている。鉛直方向に延びる左右の冷蔵庫用ガスケット３０の下端には、収納部３１ａ内にＰＶＣ等の樹脂から成るクッション３３が挿入される。クッション３３は接合部３０ｂの溶着時に同時に溶着され、接合部３０ｂが破断した際にマグネット３２の脱落を防止するようになっている。
【特許文献１】実開昭５８−１０４８８７号公報（第２図）
【発明の開示】
【発明が解決しようとする課題】
【０００５】
しかしながら、上記従来の冷蔵庫用ガスケット３０によると、接合部３０ｂから離れた位置で可撓性部材３１が破断した際にマグネット３２が脱落して扉開閉の操作性や美観を損ねる問題があった。また、クッション３３を収納部３１ａに挿入する繁雑な作業を必要とするとともに、クッション３３のために接合部３０ｂの溶着作業が行いにくくなる。このため、製造工数が増加する問題もあった。加えて、クッション３３の挿入により接合部３０ｂの寸法精度や溶着強度が低下する問題もあった。
【０００６】
本発明は、マグネットの脱落を防止するとともに、製造工数を削減して寸法精度や強度を向上できる冷蔵庫用ガスケット及びそれを用いた冷蔵庫を提供することを目的とする。
【課題を解決するための手段】
【０００７】
上記目的を達成するために本発明は、冷蔵庫の本体部の前面を開閉する扉の周部に配されて本体部を密閉する冷蔵庫用ガスケットにおいて、前記本体部に密着する可撓性部材と、前記可撓性部材により被覆して保持されるとともに前記本体部に吸引されるマグネットとを備え、前記マグネットの周面に凸部を突設するとともに、前記凸部が嵌合して保持される凹部を前記可撓性部材に凹設したことを特徴としている。
【０００８】
この構成によると、扉の周部に配された冷蔵庫用ガスケットが本体部と密着して本体部が密閉される。冷蔵庫用ガスケットはＰＶＣ等の可撓性部材でマグネットを覆って構成され、マグネットに設けた凸部が可撓性部材に設けた凹部に嵌合してマグネットが固定される。
【０００９】
また本発明は、上記構成の冷蔵庫用ガスケットにおいて、前記凸部を前記マグネットの長手方向に延びて形成したことを特徴としている。この構成によると、可撓性部材の長手方向にマグネットが挿入され、凸部が凹部に嵌合する。
【００１０】
また本発明は、上記構成の冷蔵庫用ガスケットにおいて、前記凸部がアリ溝のオス側から成り、前記凹部がアリ溝のメス側から成ることを特徴としている。この構成によると、凸部の側面が外側に向かって広がるように形成され、凹部は凸部に沿った形状に形成される。凸部と凹部が互いに係合してマグネットが抜け止めされる。
【００１１】
また本発明は、上記構成の冷蔵庫用ガスケットにおいて、前記凸部を半球状に形成したことを特徴としている。この構成によると、凸部が半球状に突設され、凹部は凸部に沿った形状で凸部に対応する位置に形成される。
【００１２】
また本発明は、上記構成の冷蔵庫用ガスケットにおいて、前記凸部は前記マグネットの長手方向に垂直な方向に延びた鍔状に形成されることを特徴としている。この構成によると、凸部は、例えば垂直方向に延びて配されるマグネットの周囲に水平方向に延びて突設される。
【００１３】
また本発明は、上記構成の冷蔵庫用ガスケットにおいて、前記マグネットを前記可撓性部材に接着したことを特徴としている。
【００１４】
また本発明は、上記各構成の冷蔵庫用ガスケットを扉に備えた冷蔵庫において、前記扉と前記本体部との係合及び離脱を行う２つのカム機構を前記扉の両側に対称に設け、前記扉の閉止状態で両側の前記カム機構が対称な第１係止位置をとり、前記扉の一方を開く際に前記扉がスライド移動して他方の前記カム機構が第２係止位置に移行することにより前記扉が回動自在にスライド規制されることを特徴としている。
【００１５】
この構成によると、扉を閉じた状態では扉の左右に配されたカム機構が第１係止位置をとる。扉を例えば右側から開くと扉は回動しながらスライド移動し、右側のカム機構は係合を解除され、左側のカム機構は第１係止位置から第２係止位置に移行する。左側のカム機構が第２係止位置に配されると、扉はスライドが規制されるとともに回動自在に支持され、回動して開放される。
【発明の効果】
【００１６】
本発明によると、可撓性部材に被覆されるマグネットの周面に凸部を突設し、凸部が嵌合して保持される凹部を可撓性部材に凹設したので、可撓性部材が破断した際にマグネットの脱落を防止することができる。また、従来例のようなマグネットを支持するクッションを必要としないため、部品点数及び製造工数を削減することができるとともに、寸法精度や強度を向上することができる。
【００１７】
また本発明によると、凸部をマグネットの長手方向に延びて形成したので、凸部と凹部とを容易に嵌合させることができる。また、可撓性部材とマグネットとを同時に押し出し成形することにより、マグネットを容易に可撓性部材に装着できる。加えて、押し出し成形によってマグネットが可撓性部材に溶着され、マグネットの脱落をより確実に防止することができる。
【００１８】
また本発明によると、凸部がアリ溝のオス側から成り、凹部がアリ溝のメス側から成るので、凸部と凹部との係合によりマグネットの脱落を確実に防止することができる。
【００１９】
また本発明によると、凸部を半球状に形成したので、簡単にマグネットの脱落を防止することができる。
【００２０】
また本発明によると、凸部を鍔状に形成したので、簡単にマグネットの脱落を防止することができる。
【００２１】
また本発明によると、マグネットを可撓性部材に接着したので、マグネットの脱落をより確実に防止することができる。
【００２２】
また本発明の冷蔵庫によると、可撓性部材に被覆されるマグネットの周面に凸部を突設し、凸部が嵌合して保持される凹部を可撓性部材に凹設した冷蔵庫用ガスケットを開閉時にスライド移動する扉に設けたので、可撓性部材が本体部と摺動して破断した際にマグネットの脱落を防止することができる。
【発明を実施するための最良の形態】
【００２３】
以下に本発明の実施形態を図面を参照して説明する。説明の便宜上、前述の図１４、図１５に示す従来例と同一の部分は同一の符号を付している。図１、図２は第１実施形態の冷蔵庫を示す正面図及び側面図である。冷蔵庫１は上段に冷蔵室２が設けられ、下段に野菜室３と冷凍室４とが左右に並んで配置される。
【００２４】
冷蔵室２は左右両開きの扉７により本体部６の前面を覆われ、詳細を後述するように左右に対称に設けられたハンドル５の操作によって左右どちらからでも開閉可能になっている。扉７には冷蔵庫用ガスケット３０が設けられる。冷蔵庫用ガスケット３０は本体部６に密着して冷蔵室２を密閉する。
【００２５】
図３は冷蔵庫用ガスケット３０を示す上面断面図である。冷蔵庫用ガスケット３０はＰＶＣ等の樹脂や合成ゴムを成形した可撓性部材３１から成り、扉７側に係止突起３０ａが設けられる。係止突起３０ａが扉７の周部に設けた係止溝７ａに嵌合して冷蔵庫用ガスケット３０が扉７の周部に取り付けられる。
【００２６】
可撓性部材３１の表面近傍にはマグネット３２を収納する収納部３１ａが長手方向に延びて形成される。収納部３１ａに収納されたマグネット３２により扉７が本体部６に吸引され、本体部６を確実に密閉することができる。尚、前述の図１５に示すように、冷蔵庫用ガスケット３０は扉７の外周の各辺に沿って複数設けられ、接合部３０ｂで溶着接合されている。
【００２７】
マグネット３２の周面には長手方向に延びる複数の凸部３２ａが突設されている。凸部３２ａは側面が外側に向かって広がったアリ溝のオス側から成っている。収納部３１ａの内壁には、長手方向に延びる複数の凹部３１ｂが凹設されている。凹部３１ｂの側面は収納部３１ａの内側に向かって狭くなったアリ溝のメス側から成り、マグネット３２の凸部３２ａは凹部３１ｂと嵌合して保持される。
【００２８】
図４、図５は冷蔵室２の本体部６（図２参照）側の下部に配されるヒンジアングル１０の左半分を示す正面図及び上面図である。ヒンジアングル１０は亜鉛メッキ鋼板等の金属により左右対称に形成され、本体部６にネジ止めされる。ヒンジアングル１０にはステンレス等から成るヒンジピン１１及びロック外カム１２がカシメ止めによって左右対称に設けられている。
【００２９】
また、ヒンジアングル１０の上面にはインサート成形によりヒンジカバー１０ａが設けられている。ヒンジピン１１は扉７の枢支軸となり、ヒンジピン１１と同心の円弧状のリブ１３がヒンジカバー１０ａと一体に形成されている。ロック外カム１２はヒンジピン１１から所定距離離れて配置され、スライド外カム２２（図６参照）と摺動して扉７を案内する。
【００３０】
図６は扉７の下端に設けられるスライドカム部材２０とヒンジアングル１０との係合関係を示す平面図である。スライドカム部材２０は扉７の左右端に対称に設けられる。スライドカム部材２０の端部にはヒンジピン１１を相対的に摺動案内する略Ｌ字型に連続した第１、第２溝カム２４、２５が凹設されている。
【００３１】
第２溝カム２５の周囲にはリブ１３と摺動するボス２３が突設されている。第１、第２溝カム２４、２５の側方にはロック外カム１２に対向するスライド外カム２２が溝内に突設される。これにより、スライドカム部材２０及びヒンジアングル１０は互いに係合して扉７を案内するカム機構を構成する。尚、同図において、スライドカム部材２０の上記各構成は下面に設けられるが、便宜上、実線で示している。
【００３２】
また、スライドカム部材２０は扉７の上面にも左右対称に設けられ、本体部６の上方にはスライドカム部材２０に係合するヒンジピン１１、ロック外カム１２及びリブ１３が設けられている。
【００３３】
上記構成の冷蔵庫１において、扉７を開く際のカム機構の動作を説明する。図６において、扉７の閉止状態では左右のカム機構はヒンジピン１１が第１溝カム２４の第２溝カム２５側の端部に配置された第１係止位置をとる。第１溝カム２４は後方へいくほど扉７の中央側に傾斜しているため、扉７の両側を引くことによる脱落が防止される。
【００３４】
扉７の左側のハンドル５を引くと図７に示すように、左側のカム機構はヒンジピン１１が第１カム溝２４により相対的に案内され、ロック外カム１２とスライド外カム２２とが摺動する。右側のカム機構はヒンジピン１１が第２カム溝２５により相対的に案内される。これにより、扉７は本体部６から離隔して回動しながら左方向にスライド移動する。
【００３５】
更にハンドル５を引くと図８に示すように、左側のカム機構は、上記と同様に、ヒンジピン１１が第１カム溝２４により相対的に案内され、ロック外カム１２とスライド外カム２２とが摺動する。右側のカム機構はヒンジピン１１が第２カム溝２５の閉塞した端部に配置され、ボス２３がリブ１３と摺動を開始する。これにより、ヒンジピン１１は相対的にスライド移動が規制され、回動自在に支持される。
【００３６】
更にハンドル５を引くと図９に示すように、左側のカム機構は係合を解除される。右側のカム機構は第２係止位置でボス２３がリブ１３に摺動し、スライド外カム２２がロック外カム１２を摺動案内する。そして、右側のカム機構が第２係止位置を維持して扉７が開放される。また、上記と逆の動作により扉７が閉じられる。
【００３７】
本実施形態によると、冷蔵庫用ガスケット３０は可撓性部材３１の凹部３１ｂがマグネット３２の凸部３２ａと嵌合し、可撓性部材３１の弾性力により凸部３２ａを挟持して保持する。これにより、可撓性部材３１が破断した際にマグネット３２の脱落を防止して操作性や美観の低下を防止することができる。
【００３８】
特に、本実施形態のように扉７が開閉時にスライド移動を伴う場合は、冷蔵庫用ガスケット３０が本体部６と摺動するため破断が生じやすい。このため、マグネット３２の脱落を防止できることによる効果が大きい。加えて、脱落したマグネット３２が第１、第２溝カム２４、２５とヒンジピン１１との間に挟まると、扉７を開閉する際に第１、第２溝カム２４、２５に大きな力が加わる。これにより、第１、第２溝カム２４、２５が弾性変形して扉７が脱落する危険があるが、マグネット３２の脱落を防止して扉７の脱落を防止することができる。
【００３９】
また、前述の図１５に示す従来例のようにマグネット３２を支持するクッション３３を必要としないため、部品点数及び製造工数を削減することができるとともに、接合部３０ｂの寸法精度や溶着強度を向上することができる。
【００４０】
更に、凸部３２ａ及び凹部３２ｂは長手方向に延びて形成されるため、可撓性部材３１とマグネット３２とを同時に押し出し成形することが可能となる。これにより、マグネット３２を容易に可撓性部材３１に装着できる。加えて、押し出し成形時にマグネット３２が可撓性部材３１が溶着され、マグネット３２の脱落をより確実に防止することができる。
【００４１】
また、凸部３２ａがアリ溝のオス側から成り、凹部３１ｂがアリ溝のメス側から成るので、凸部３２ａと凹部３１ｂとが係合してマグネット３２の脱落を確実に防止することができる。凸部３２ａ及び凹部３１ｂの断面形状を矩形等の他の形状にしてもよい。
【００４２】
次に、図１０、図１１は第２実施形態の冷蔵庫の冷蔵庫用ガスケットのマグネットを示す斜視図及び断面図である。説明の便宜上、前述の図１〜図９に示す第１実施形態と同一の部分は同一の符号を付している。本実施形態は第１実施形態に対してマグネット３２及び可撓性部材３１の形状が異なっている。その他の部分は第１実施形態と同一である。
【００４３】
マグネット３２の周面には、半球状の凸部３２ａが多数突設されている。可撓性部材３１の収納部３１ａ（図３参照）には凸部３２ａに対応する位置に凸部３２ａと嵌合して凸部３２ａを保持する半球状の凹部（不図示）が設けられている。これにより、可撓性部材３１が破断した際にマグネット３２の脱落を防止して操作性や美観の低下を防止することができる。また、クッション３３（図１５参照）を省いて部品点数削減や工数削減を図ることができる。
【００４４】
次に、図１２、図１３は第３実施形態の冷蔵庫の冷蔵庫用ガスケットのマグネットを示す斜視図及び断面図である。説明の便宜上、前述の図１〜図９に示す第１実施形態と同一の部分は同一の符号を付している。本実施形態は第１実施形態に対してマグネット３２及び可撓性部材３１の形状が異なっている。その他の部分は第１実施形態と同一である。
【００４５】
マグネット３２の周面には、長手方向に垂直な方向に延びた鍔状の凸部３２ａが多数突設されている。可撓性部材３１の収納部３１ａ（図３参照）には凸部３２ａに対応する位置に凸部３２ａと嵌合して凸部３２ａを保持する溝状の凹部（不図示）が設けられている。これにより、可撓性部材３１が破断した際にマグネット３２の脱落を防止して操作性や美観の低下を防止することができる。また、クッション３３（図１５参照）を省いて部品点数削減や工数削減を図ることができる。尚、凸部３２ａをマグネット３２の周囲全体に突出して設けてもよい。
【００４６】
第１〜第３実施形態において、マグネット３２を可撓性部材３１に装着した後に、マグネット３２と可撓性部材３１とを溶着または接着剤により接着してもよい。これにより、マグネット３２の脱落をより確実に防止することができる。
【産業上の利用可能性】
【００４７】
本発明によると、一方から開く扉や左右両方から開く扉の周部に配されて本体部を密閉する冷蔵庫用ガスケット及びそれを用いた冷蔵庫に利用することができる。
【図面の簡単な説明】
【００４８】
【図１】本発明の第１実施形態の冷蔵庫を示す正面図
【図２】本発明の第１実施形態の冷蔵庫を示す側面図
【図３】本発明の第１実施形態の冷蔵庫の冷蔵庫用ガスケットを示す上面断面図
【図４】本発明の第１実施形態の冷蔵庫のヒンジアングルを示す平面図
【図５】本発明の第１実施形態の冷蔵庫のヒンジアングルを示す平面図
【図６】本発明の第１実施形態の冷蔵庫のスライドカム部材を示す平面図
【図７】本発明の第１実施形態の冷蔵庫の扉開成時のカム機構の動作を示す平面図
【図８】本発明の第１実施形態の冷蔵庫の扉開成時のカム機構の動作を示す平面図
【図９】本発明の第１実施形態の冷蔵庫の扉開成時のカム機構の動作を示す平面図
【図１０】本発明の第２実施形態の冷蔵庫の冷蔵庫用ガスケットのマグネットを示す斜視図
【図１１】本発明の第２実施形態の冷蔵庫の冷蔵庫用ガスケットのマグネットを示す断面図
【図１２】本発明の第３実施形態の冷蔵庫の冷蔵庫用ガスケットのマグネットを示す斜視図
【図１３】本発明の第３実施形態の冷蔵庫の冷蔵庫用ガスケットのマグネットを示す断面図
【図１４】従来の冷蔵庫の冷蔵庫用ガスケットを示す上面断面図
【図１５】従来の冷蔵庫の冷蔵庫用ガスケットを示す正面図
【符号の説明】
【００４９】
１    冷蔵庫
２    冷蔵室
３    野菜室
４    冷凍室
５    ハンドル
６    本体部
７    扉
１０    ヒンジアングル
１１    ヒンジピン
１２    ロック外カム
１３    リブ
２０    スライドカム部材
２２    スライド外カム
２３    ボス
２４    第１溝カム
２５    第２溝カム
３０    冷蔵庫用ガスケット
３１    可撓性部材
３１ｂ  凹部
３２    マグネット
３２ａ  凸部
３３    クッション
【図１】
2006317045.tif 000003
【図２】
2006317045.tif 000004
【図３】
2006317045.tif 000005
【図４】
2006317045.tif 000006
【図５】
2006317045.tif 000007
【図６】
2006317045.tif 000008
【図７】
2006317045.tif 000009
【図８】
2006317045.tif 000010
【図９】
2006317045.tif 000011
【図１０】
2006317045.tif 000012
【図１１】
2006317045.tif 000013
【図１２】
2006317045.tif 000014
【図１３】
2006317045.tif 000015
【図１４】
2006317045.tif 000016
【図１５】
2006317045.tif 000017